(57)【要約】      （修正有）【課題】情報通信端末の表示画面保護部材に印刷された文字や、イラスト、等などが剥がれにくく、視覚的な観点において長期間使用することが可能な、情報通信端末の表示画面保護部材を提供する。【解決手段】情報通信端末の表示画面に積層される薄板状の表示画面保護部３と、表示画面保護部の周縁に連設されていて、情報通信端末の表示画面を囲んでいる部分に積層される表示画面外周保護部４と、を備える情報通信端末の表示画面保護部材１であって、表示画面保護部はガラスフィルムからなり、表示画面外周保護部は弾性部材製で、表面に文字及び／又は図形が印刷されている。【選択図】図２
2018207272.tif 000002
【特許請求の範囲】
【請求項１】
情報通信端末の表示画面に積層される薄板状の表示画面保護部と、
前記表示画面保護部の周縁に連設されていて、前記情報通信端末の前記表示画面を囲んでいる部分に積層される表示画面外周保護部と、を備える情報通信端末の表示画面保護部材であって、
前記表示画面保護部はガラスフィルムからなり、
前記表示画面外周保護部は弾性部材製で、表面に文字及び／又は図形が印刷されている
情報通信端末の表示画面保護部材。
【請求項２】
前記文字及び／又は図形は、前記弾性部材製の表示画面外周保護部の表面に凹凸を形成せずに、前記表示画面外周保護部の表面を平坦に保って印刷されている請求項１記載の情報通信端末の表示画面保護部材。
【請求項３】
前記弾性部材はゴム材である請求項１又は２記載の情報通信端末の表示画面保護部材。
【請求項４】
前記情報通信端末がスマートフォンである請求項１乃至３のいずれか一項に記載の情報通信端末の表示画面保護部材。
【発明の詳細な説明】
【技術分野】
【０００１】
この発明は、情報通信端末の表示画面を保護する表示画面保護部材に関する。
【背景技術】
【０００２】
スマートフォンに代表される情報通信端末の普及に伴い、情報通信端末の液晶画面の衝撃による破損を防ぐため、保護ケースや保護フィルムが種々提案、市販されている。
【０００３】
特許文献１には、スマートフォンの液晶画面の破損や背面の擦り傷等を防止する衝撃吸収フィルムを容易にかつ綺麗に貼り付けることを可能とするスマートフォンの保護フィルムセットが提案されている。
【０００４】
特許文献２には、携帯端末の表示画面に貼り付ける保護用ガラスフィルムの周縁を表示画面周縁の張り出し面に密着させて、表示画面を確実に保護する保護用ガラスフィルムが提案されている。
【先行技術文献】
【特許文献】
【０００５】
【特許文献１】特開２０１６−２０８１３８号公報
【特許文献２】特開２０１６−１９６３８３号公報
【発明の概要】
【発明が解決しようとする課題】
【０００６】
上述したスマートフォンは、従来普及されている携帯電話機と比べて表示画面が大きいため、衝撃によって破損しやすい。
【０００７】
特許文献１に提案されているスマートフォンの保護フィルムセットでは、表示画面を保護する衝撃吸収フィルムがＰＥＴ製であるため、フィルム表面に傷がつきやすく、衝撃吸収性が不十分で表示画面を十分に保護することができない。
【０００８】
特許文献２に提案されている保護用ガラスフィルムは化学強化ガラス製である。ここで、保護フィルムの購入を促進するため、保護フィルムの表示画面を保護する部分以外の部分に種々の文字やイラスト、等が印刷された保護フィルムを販売することが一般的に行われている。この場合、特許文献２に提案されている化学強化ガラス製の保護用ガラスフィルムの表示画面を保護する部分以外の部分に種々の文字や、イラスト、等をフィルムの表面側から印刷することになるが、フィルム表面のインクが剥がれやすいので、視覚的な観点から長期間の使用に適していない。
【０００９】
そこで、この発明は、情報通信端末の表示画面保護部材に印刷された文字や、イラスト、等などが剥がれにくく、視覚的な観点において長期間使用することが可能で、印刷する文字や、イラスト、等として、人気アーティスト、タレント、スポーツ選手などの写真、等や、プロスポーツチーム、等を応援するファン、サポーター向けのロゴ、等を採用することで、人気アーティスト、タレント、スポーツ選手、プロスポーツチーム、等のファン、サポーター向けのグッズとして商品化することが可能な、情報通信端末の表示画面保護部材を提供することを目的とする。
【課題を解決するための手段】
【００１０】
請求項１の発明は、
情報通信端末の表示画面に積層される薄板状の表示画面保護部と、
前記表示画面保護部の周縁に連設されていて、前記情報通信端末の前記表示画面を囲んでいる部分に積層される表示画面外周保護部と、を備える情報通信端末の表示画面保護部材であって、
前記表示画面保護部はガラスフィルムからなり、
前記表示画面外周保護部は弾性部材製で、表面に文字及び／又は図形が印刷されている
情報通信端末の表示画面保護部材である。
【発明の効果】
【００１１】
この発明によれば、情報通信端末の表示画面保護部材に印刷された文字や、イラスト、等などが剥がれにくく、視覚的な観点において長期間使用することが可能で、印刷する文字や、イラスト、等として、人気アーティスト、タレント、スポーツ選手などの写真、等や、プロスポーツチーム、等を応援するファン、サポーター向けのロゴ、等を採用することで、人気アーティスト、タレント、スポーツ選手、プロスポーツチーム、等のファン、サポーター向けのグッズとして商品化することが可能な、情報通信端末の表示画面保護部材を提供することができる。
【図面の簡単な説明】
【００１２】
【図１】本発明の表示画面保護部材に係る表示画面保護部材本体の一例を表す。
【図２】（ａ）、（ｂ）ともに本発明の表示画面保護部材の一例を表す。
【図３】本発明の表示画面保護部材を貼り付ける情報通信端末の一例であって、（ａ）平面図、（ｂ）斜視図を表す。
【発明を実施するための形態】
【００１３】
以下、添付図面を参照して、本発明の実施形態の一例を説明する。本実施形態の情報通信端末の表示画面保護部材は、スマートフォン、タブレット端末、電子書籍リーダー、等の情報通信端末が備えるタッチパネル（表示画面）を保護するものである。図１〜図３図示の形態では、一例として情報通信端末をスマートフォンとしている。
【００１４】
本実施形態の表示画面保護部材１は、薄板状の表示画面保護部３と、表示画面保護部３の周縁に連設されている表示画面外周保護部４とからなる表示画面保護部材本体２を備えている（図１、図２）。表示画面保護部３と表示画面外周保護部４とはそれぞれ異なる素材から形成されている。
【００１５】
表示画面保護部３は、情報通信端末７の前面１０に配備されている表示画面（タッチスクリーン８）に積層されて表示画面８を保護する。図示の形態では、表示画面保護部３は従来公知の強化ガラスを薄膜状に形成した薄板状のガラスフィルムとしている。
【００１６】
表示画面外周保護部４は、情報通信端末７の前面１０で、表示画面８を囲んでいるタッチスクリーン外周部９に積層されてタッチスクリーン外周部９を保護する。
【００１７】
表示画面外周保護部４がタッチスクリーン外周部９に積層される際に、表示画面外周保護部４がタッチスクリーン外周部９に貼り付けられる形態にすることができる。表示画面外周保護部４がタッチスクリーン外周部９に貼り付けられていれば、表示画面保護部３は必ずしも表示画面８に貼り付けられる必要はないが、表示画面外周保護部４がタッチスクリーン外周部９に積層されている形態が貼り付け形態であっても、表示画面保護部３が表示画面８に積層されている形態も貼り付け形態とすることができる。
【００１８】
表示画面外周保護部４は弾性部材製である。図示の形態では、表示画面外周保護部４は、従来公知のゴム素材を薄膜状に形成したゴムフィルムとしている。
【００１９】
本実施形態では、表示画面保護部材１が備える表示画面外周保護部４の表面に文字及び／又は図形が印刷されている。
【００２０】
図２（ａ）図示の表示画面保護部材１では、種々の色彩を使用して形成されたゴムフィルムからなる表示画面外周保護部４の所定の箇所に、文字（記号含む）５ａ、５ｂとイラスト６ａ、６ｂ、６ｃが表示画面外周保護部４の表面側から印刷されている。
【００２１】
図２（ｂ）図示の表示画面保護部材１では、透明あるいは、半透明のゴムフィルムからなる表示画面外周保護部４の所定の箇所に、文字（記号含む）５ａ、５ｂとイラスト６ａ、６ｂ、６ｃが表示画面外周保護部４の表面側から印刷されている。
【００２２】
この実施形態では、表示画面外周保護部４をゴムフィルム製とし、このようなゴムフィルム製の表示画面外周保護部４の表面に凹凸を形成せず、表示画面外周保護部４の表面を平坦に保ったまま、上述した文字（記号を含む）や、イラスト（絵）及びこれらの組み合わせを印刷している。
【００２３】
上述したように、従来の化学強化ガラス製の保護用ガラスフィルムでは、フィルム全体が化学強化ガラスであり、表示画面を保護する部分以外の部分に種々の文字や、イラスト、等をフィルムの表面側から印刷してもフィルム表面のインクが剥がれやすく、視覚的な観点から長期間の使用に適していない。このため、背面側に印刷を施す、等が行われたこともある。
【００２４】
本実施形態では、表示画面外周保護部４を、ゴム素材を薄膜状に形成したゴムフィルムとしているので、前記化学強化ガラス製の保護用ガラスフィルムとは異なり、表示画面外周保護部４に種々の文字や、イラスト、等をフィルムの表面側から印刷してもフィルム表面のインクが剥がれにくく、視覚的な観点において長期間使用することができる。
【００２５】
また、ゴムフィルム製の表示画面外周保護部４の表面に凹凸を形成せず、表示画面外周保護部４の表面を平坦に保ったまま、文字（記号を含む）や、イラスト（絵）及びこれらの組み合わせが印刷されているので、表示画面保護部材１の表面で指などを摺動させる際の感触がスムーズで良好なものになる。
【００２６】
ゴムフィルム製の表示画面外周保護部４の表面に種々の文字（記号を含む）や、イラスト（絵）及びこれらの組み合わせを印刷して長期間使用することができるので、印刷する文字（記号を含む）や、イラスト（絵）及びこれらの組み合わせとして、例えば、人気アーティスト、タレント、スポーツ選手などの写真、等や、プロスポーツチーム、等を応援するファン、サポーター向けのロゴ、等を採用すれば、人気アーティスト、タレント、スポーツ選手、プロスポーツチーム、等のファン、サポーター向けのグッズとしてこの実施形態の表示画面保護部材１を商品化することもできる。
【００２７】
以上、添付図面を参照して本発明の好ましい実施形態を説明したが、本発明はかかる実施形態に限定されるものではなく、特許請求の範囲の記載から把握される技術的範囲において種々の形態に変更可能である。
【符号の説明】
【００２８】
１  表示画面保護部材
２  表示画面保護部材本体
３  表示画面保護部
４  表示画面外周保護部
５ａ、５ｂ  文字
６ａ、６ｂ  図形
７  情報通信端末
８  タッチスクリーン
９  タッチスクリーン外周部
１０  前面
【図１】
2018207272.tif 000003
【図２】
2018207272.tif 000004
【図３】
2018207272.tif 000005